(57)【要約】【課題】起動時間が短くて、カメラ本体側で撮像素子やレンズなどに関する情報を確実に取得することができるカメラシステム、光学ユニット、およびカメラ本体を提供する。【解決手段】  撮影光学系を有する光学ユニットと、光学ユニットが着脱自在に装着される、被写体光を表す画像データに画像処理を施すカメラ本体とを備えたカメラシステムであって、光学ユニットが、同一タイプの他の光学ユニットに対してこの光学ユニットが個有に有する特徴を表す個別情報を送信する個別情報送信部を備えたものであり、カメラ本体が、個別情報を取得する個別情報取得部と、光学ユニットの同一タイプ内で共通する特徴を表す共通情報を記憶する共通情報記憶部と、光学ユニットのタイプを識別するタイプ識別部と、記憶されている共通情報のうち識別されたタイプにおける共通情報と個別情報とに応じた画像処理を画像データに施す画像処理部とを備えた。【選択図】        図８
2006325109.tif 000002
【特許請求の範囲】
【請求項１】
被写体光が通過する撮影光学系を有する光学ユニットと、該光学ユニットが着脱自在に装着される、該撮影光学系を通って結像する被写体光を表す画像データに画像処理を施すカメラ本体とを備えたカメラシステムであって、
前記光学ユニットが、複数タイプの光学ユニットから選択されたものであって、該光学ユニットが、同一タイプの他の光学ユニットに対してこの光学ユニットが個有に有する特徴を表す個別情報を前記カメラ本体に送信する個別情報送信部を備えたものであり、
前記カメラ本体が、
前記光学ユニットから前記個別情報を取得する個別情報取得部と、
光学ユニットの同一タイプ内で共通する特徴を表す共通情報を１つ以上のタイプについて記憶する共通情報記憶部と、
前記光学ユニットのタイプを識別するタイプ識別部と、
前記共通情報記憶部に記憶されている共通情報のうち前記タイプ識別部によって識別されたタイプにおける共通情報と前記個別情報とに応じた画像処理を前記画像データに施す画像処理部とを備えたことを特徴とするカメラシステム。
【請求項２】
前記光学ユニットが、
この光学ユニットを特定するためのＩＤを前記カメラ本体に送信するＩＤ送信部を備えたものであり、
前記カメラ本体が、
前記ＩＤを受信するＩＤ受信部と、
前記ＩＤ受信部で受信されたＩＤと、前記個別情報取得部で取得された個別情報とを対応付けて保存する個別情報保存部とを備え、
前記個別情報取得部は、前記ＩＤ受信部が、前記個別情報保存部に保存されていないＩＤを受信した場合に前記個別情報を取得するものであり、
前記画像処理部は、前記ＩＤ受信部で受信されたＩＤと対応付けられて前記個別情報保存部に保存されている個別情報に応じた画像処理を前記画像データに施すものであることを特徴とする請求項１記載のカメラシステム。
【請求項３】
前記カメラ本体が、
前記個別情報取得部で取得された個別情報の保存を操作に応じて許可する保存許可部を備え、
前記個別情報保存部が、前記保存許可部で保存が許可された場合に前記ＩＤと前記個別情報とを対応付けて保存するものであることを特徴とする請求項２記載のカメラシステム。
【請求項４】
前記カメラ本体が、
前記個別情報保存部に保存された個別情報のうち操作によって指定される個別情報を、該個別情報と対応付けられたＩＤとともに消去する情報消去部を備えたことを特徴とする請求項２記載のカメラシステム。
【請求項５】
被写体光を表す画像データに画像処理を施すカメラ本体に着脱自在に装着される光学ユニットにおいて、
被写体光が通過する撮影光学系と、
同一タイプの他の光学ユニットに対してこの光学ユニットが個有に有する特徴を表す個別情報を前記カメラ本体に送信する個別情報送信部とを備えたことを特徴とする光学ユニット。
【請求項６】
被写体光が通過する撮影光学系を有する光学ユニットが着脱自在に装着される、該撮影光学系を通って結像する被写体光を表す画像データに画像処理を施すカメラ本体において、
前記光学ユニットが、複数タイプの光学ユニットから選択されたものであり、
前記光学ユニットから前記個別情報を取得する個別情報取得部と、
光学ユニットの同一タイプ内で共通する特徴を表す共通情報を１つ以上のタイプについて記憶する共通情報記憶部と、
前記光学ユニットのタイプを識別するタイプ識別部と、
前記共通情報記憶部に記憶されている共通情報のうち前記タイプ識別部によって識別されたタイプにおける共通情報と前記個別情報とに応じた画像処理を前記画像データに施す画像処理部とを備えたことを特徴とするカメラ本体。
【発明の詳細な説明】
【技術分野】
【０００１】
本発明は、被写体光を結像する撮影光学系が搭載された光学ユニット、光学ユニットが着脱自在に装着され、画像データに所定の画像処理を施すカメラ本体、そのような光学ユニットおよびカメラ本体を備えたカメラシステムに関する。
【背景技術】
【０００２】
従来、撮影レンズが内蔵された交換式のレンズユニットを、撮像素子が内蔵されたカメラ本体に装着して用いるレンズ交換式カメラが知られている。このレンズ交換式カメラは、撮影レンズによって結像された被写体光が、カメラ本体側に備えられた撮像素子で受光されて撮影画像データが生成されるため、従来、銀塩フィルムに撮影画像を記録するフィルム式の一眼レフカメラで使用されていた交換式の撮影レンズを再利用することができるという利点がある。
【０００３】
しかし、例えば、低解像度で小型な撮像素子が内蔵されたカメラ本体に、高価で光学性能が優れた大型の撮影レンズを装着すると、撮影レンズによって被写体光が精度良く結像されるが、撮像素子ではその被写体光を高精度に読み取ることができず、撮影レンズの性能を活かし切れないという問題がある。この問題を解決するものとして、撮影レンズと撮像素子とが内蔵されたカメラヘッドをカメラ本体に装着するヘッド交換式カメラが開発されている（例えば、特許文献１参照）。これら特許文献１、特許文献２、および特許文献３に記載されたヘッド交換式カメラによると、撮影レンズの大きさや光学性能に適したＣＣＤを予めレンズユニット内に備えておくことによって、撮影レンズの性能を活かして高画質な撮影画像を取得することができる。
【０００４】
ところで、被写体光が撮像素子で受光されて生成された撮影画像データは、ガンマ補正、オフセット位置補正、および撮像素子の傷画素補正などといった各種の画像処理が施されてから記録媒体等に記録される。撮影画像データにこれらの画像処理を施すためには、撮像素子や撮影レンズに関するヘッド情報が必要であり、特許文献１に記載されたヘッド交換式カメラでは、これらのヘッド情報がカメラヘッド側のメモリに予め記録されている。ヘッド交換式カメラの電源が投入されると、カメラヘッド側のメモリに記録されたヘッド情報がカメラ本体によって読み出され、実際に撮影が行われるときには、カメラ本体側でヘッド情報に応じた画像処理が撮影画像データに施される。しかし、画像処理を実行するためには、撮像素子の画素数、撮像素子の傷位置、画素の配置パターン、およびレンズ口径など多数のヘッド情報が必要であり、電源を投入する度にこれら多数のヘッド情報がカメラヘッドから読み出されるため、かなりの起動時間が掛かってしまうという問題がある。
【０００５】
この点に関し、特許文献２には、予めカメラ本体側のメモリにヘッド情報を記録しておき、カメラ本体では、その記録されたヘッド情報に応じて画像処理を行うヘッド交換式カメラについて記載されている。この特許文献２に記載されたヘッド交換式カメラによると、起動時にカメラヘッドからヘッド情報を読み出す必要がないため、起動時間を軽減することができる。
【特許文献１】特開平１０−１９１１２２号公報
【特許文献２】特開２０００−５０１３８号公報
【発明の開示】
【発明が解決しようとする課題】
【０００６】
しかし、特許文献２に記載されたヘッド交換式カメラによると、カメラ本体側のメモリにヘッド情報が記録されていないカメラヘッドが装着されたときには、カメラ本体側でヘッド情報を取得することができないという問題がある。
【０００７】
本発明は、上記事情に鑑み、起動時間が短くて、カメラ本体側で撮像素子やレンズなどに関する情報を確実に取得することができるカメラシステム、そのようなカメラシステムに備えられる光学ユニット、およびカメラ本体を提供することを目的とする。
【課題を解決するための手段】
【０００８】
上記目的を達成する本発明のカメラシステムは、被写体光が通過する撮影光学系を有する光学ユニットと、光学ユニットが着脱自在に装着される、撮影光学系を通って結像する被写体光を表す画像データに画像処理を施すカメラ本体とを備えたカメラシステムであって、
光学ユニットが、複数タイプの光学ユニットから選択されたものであって、光学ユニットが、同一タイプの他の光学ユニットに対してこの光学ユニットが個有に有する特徴を表す個別情報を前記カメラ本体に送信する個別情報送信部を備えたものであり、
カメラ本体が、
光学ユニットから個別情報を取得する個別情報取得部と、
光学ユニットの同一タイプ内で共通する特徴を表す共通情報を１つ以上のタイプについて記憶する共通情報記憶部と、
光学ユニットのタイプを識別するタイプ識別部と、
共通情報記憶部に記憶されている共通情報のうち前記タイプ識別部によって識別されたタイプにおける共通情報と個別情報とに応じた画像処理を前記画像データに施す画像処理部とを備えたことを特徴とする。
【０００９】
本発明のカメラシステムによると、同一タイプの光学ユニットに共通な特徴を表す共通情報がカメラ本体側に記憶され、各光学ユニットに固有の特徴を表す個別情報が光学ユニットから取得されて、共通情報と個別情報とに応じた画像処理が実行される。このため、光学ユニットが交換されたときでも、光学ユニットからカメラ本体に個別情報が転送されるだけで必要な情報がカメラ本体に揃うこととなり、光学ユニットからカメラ本体に読み出される情報量が抑えられ、カメラシステムの起動時間を軽減することができる。
【００１０】
また、本発明のカメラシステムにおいて、
「上記光学ユニットが、
この光学ユニットを特定するためのＩＤをカメラ本体に送信するＩＤ送信部を備えたものであり、
上記カメラ本体が、
ＩＤを受信するＩＤ受信部と、
ＩＤ受信部で受信されたＩＤと、個別情報取得部で取得された個別情報とを対応付けて保存する個別情報保存部とを備え、
個別情報取得部は、ＩＤ受信部が、個別情報保存部に保存されていないＩＤを受信した場合に個別情報を取得するものであり、
画像処理部は、ＩＤ受信部で受信されたＩＤと対応付けられて個別情報保存部に保存されている個別情報に応じた画像処理を画像データに施すものである」
という形態が好適である。
【００１１】
この好適な形態のカメラシステムによると、再度同じ光学ユニットが装着されたときには、光学ユニットから個別情報は送信せずにＩＤのみ送信すればよく、通信される情報量が抑えられて、起動時間を高速化することができる。
【００１２】
また、本発明のカメラシステムにおいて、上記カメラ本体が、
個別情報取得部で取得された個別情報の保存を操作に応じて許可する保存許可部を備え、
個別情報保存部が、保存許可部で保存が許可された場合にＩＤと個別情報とを対応付けて保存するものであることが好ましい。
【００１３】
カメラ本体の個別情報保存部に保存することができる情報量は限られているため、装着された全ての光学ヘッドの個別情報は保存することはできないことが想定される。保存許可部によって個別情報の保存の許可が行われることによって、必要な光学ユニットの個別情報のみを保存して、個別情報保存部用のメモリを効率よく利用することができる。
【００１４】
また、本発明のカメラシステムにおいて、上記カメラ本体が、
個別情報保存部に保存された個別情報のうち操作によって指定される個別情報を、その個別情報と対応付けられたＩＤとともに消去する情報消去部を備えたことが好ましい。
【００１５】
不要な光学ユニットの個別情報とＩＤとを消去することによって、個別情報保存部用のメモリをさらに効率よく利用することができる。
【００１６】
また、上記目的を達成する本発明の光学ユニットは、被写体光を表す画像データに画像処理を施すカメラ本体に着脱自在に装着される光学ユニットにおいて、
被写体光が通過する撮影光学系と、
同一タイプの他の光学ユニットに対してこの光学ユニットが個有に有する特徴を表す個別情報をカメラ本体に送信する個別情報送信部とを備えたことを特徴とする。
【００１７】
本発明の光学ユニットによると、その光学ユニットが装着されたカメラ本体に、光学ユニットに固有な特徴を表す固有情報が送信されるため、カメラ本体側では固有情報に応じた画像処理などを行うことができる。
【００１８】
尚、本発明にいう光学ユニットについては、ここではその基本形態のみを示すのにとどめるが、これは単に重複を避けるためであり、本発明にいう光学ユニットには、上記の基本形態のみではなく、前述したカメラシステムの各形態に対応する各種の形態が含まれる。
【００１９】
また、上記目的を達成する本発明のカメラ本体は、被写体光が通過する撮影光学系を有する光学ユニットが着脱自在に装着される、撮影光学系を通って結像する被写体光を表す画像データに画像処理を施すカメラ本体において、
上記光学ユニットが、複数タイプの光学ユニットから選択されたものであり、
光学ユニットから個別情報を取得する個別情報取得部と、
光学ユニットの同一タイプ内で共通する特徴を表す共通情報を１つ以上のタイプについて記憶する共通情報記憶部と、
光学ユニットのタイプを識別するタイプ識別部と、
共通情報記憶部に記憶されている共通情報のうちタイプ識別部によって識別されたタイプにおける共通情報と個別情報とに応じた画像処理を画像データに施す画像処理部とを備えたことを特徴とする。
【００２０】
本発明のカメラ本体によると、同一タイプの光学ユニットに共通な共通情報が予め記憶されており、起動時などには、各光学ユニットに固有な個別情報のみを光学ユニットから取得すればよく、カメラシステム全体の起動時間を軽減することができる。
【００２１】
尚、本発明にいうカメラ本体についても、ここではその基本形態のみを示すのにとどめるが、これは単に重複を避けるためであり、本発明にいうカメラ本体には、上記の基本形態のみではなく、前述したカメラシステムの各形態に対応する各種の形態が含まれる。
【発明の効果】
【００２２】
本発明のカメラシステム、光学ユニット、およびカメラ本体によると、起動時間を軽減するとともに、カメラ本体側で撮像素子やレンズなどに関する情報を確実に取得することができる。
【発明を実施するための最良の形態】
【００２３】
以下、本発明の実施形態について説明する。
【００２４】
図１は、本発明の一実施形態が適用されたカメラシステムの分解図である。
【００２５】
図１に示すカメラシステム１には、撮影レンズやＣＣＤが内蔵された複数種類のカメラヘッド１＿ａ，２＿ａ，…，ｎ＿ａが用意されており、それら複数種類のカメラヘッドのうちいずれかの種類のカメラヘッドが選択されて使用される。以下の説明においては、複数種類のカメラヘッド１＿ａ，２＿ａ，…，ｎ＿ａのうち１番目のカメラヘッド１＿ａが選択されたものとして説明を行う。
【００２６】
カメラシステム１は、カメラヘッド１＿ａと、カメラヘッド１＿ａが着脱自在に装着されるカメラ本体１＿ｂとで構成されている。カメラヘッド１＿ａ，２＿ａ，…，ｎ＿ａは、本発明にいう光学ユニットの一例にそれぞれ相当し、カメラ本体１＿ｂは、本発明にいうカメラ本体の一例に相当する。
【００２７】
カメラ本体１＿ｂの前面側にはマウント１０ｂが設けられており、このマウント１０ｂに、カメラヘッドに設けられたマウントコネクタ１０ａが着脱自在に嵌合する。
【００２８】
また、カメラ本体１＿ｂの上面には、静止画を撮影するためのレリーズボタン２１ｂと、処理モード（後述する）を設定するためのモード設定ダイヤル２２ｂとが設けられている。
【００２９】
図２は、図１に示すカメラ本体１＿ｂの上面図である。
【００３０】
本実施形態では、モード設定ダイヤル２２ｂを使って、処理モードを、撮影画像を表示する再生モード（Ｐｌａｙ）、静止画を撮影する静止画モード（Ｃａｍ）、動画を撮影する動画モード（Ｍｏｖ）、パーソナルコンピュータなどといった外部装置と接続するための接続モード（Ｐｃ）、カメラ本体１＿ｂに内蔵された時計の時刻などを合わせるセットアップモード（Ｓｅｔ  ｕｐ）のいずれかに設定することができる。
【００３１】
図３は、図１に示すカメラ本体１＿ｂの背面図である。
【００３２】
カメラ本体１＿ｂの背面には、カメラシステム１の電源を入れるための電源スイッチ２３ｂ、画像やメニュー画面などが表示されるＬＣＤ（Ｌｉｑｕｉｄ  Ｃｒｙｓｔａｌ  Ｄｉｓｐｌａｙ）２８ｂ、ＬＣＤ２８ｂに表示されたメニュー画面中の項目等を選択するための十字キー２４ｂ、ＬＣＤ２８ｂにメニュー画面を表示するためのメニューボタン２５ｂ、設定内容を決定するための実行ボタン２６ｂ、設定内容を中止するための取消ボタン２７ｂが設けられており、カメラ本体１＿ｂの側面には、パーソナルコンピュータなどといった外部装置と接続するためのＵＳＢコネクタ２９ｂが設けられている。
【００３３】
図４は、図１に示すカメラシステム１の内部構成図である。
【００３４】
まずは、カメラヘッド１＿ａについて説明する。
【００３５】
カメラヘッド１＿ａには、フォーカスレンズやズームレンズなどといった各種レンズや、それら各種レンズを駆動するためのモータなどが配備された撮影光学系１１ａ、撮影光学系１１ａ中のモータを制御して、フォーカスレンズやズームレンズのレンズ位置や、絞り値などを制御する絞り／フォーカスズーム制御部１７ａ、撮影光学系１１ａを通って結像された被写体光を受光して、被写体光を表す被写体信号を生成するＣＣＤ１２ａ、被写体信号の増幅やゲイン調整などを行うアナログ信号処理部１３ａ、アナログ信号である被写体信号をデジタルの画像データに変換するＡ／Ｄ部１４ａ、ＣＣＤ１２ａ，アナログ信号処理部１３ａ，Ａ／Ｄ部１４ａに向けてタイミング信号を発するＴＧ（タイミングジェネレータ）１８ａ、カメラヘッド１＿ａの各種要素を制御するとともに、フォーカスレンズやズームレンズのレンズ位置を算出するヘッドＣＰＵ１９ａ、ヘッドＣＰＵ１９ａでの算出処理時などに一時的なメモリとして使用されるシステムメモリ１９０ａ、ＣＣＤ１２ａの画素数やレンズの絞り値などで構成されるヘッド情報が記録された不揮発性メモリ１９１ａが備えられている。撮影光学系１１ａは、本発明にいう撮影光学系の一例に相当する。
【００３６】
また、カメラヘッド１＿ａには、カメラ本体１＿ｂにも同様に設けられた３線シリアルドライバ１５１ａと高速シリアルドライバ１５０ａとが備えられている。３線シリアルドライバ１５１ａは、ヘッド情報や、カメラ本体１＿ｂへの要求などをカメラ本体１＿ｂとの間で送受信するためのものであり、高速シリアルドライバ１５０ａは、カメラ本体１＿ｂとの間で被写体光が読み取られた撮影画像データなどを送受信するためのものである。３線シリアルドライバ１５１ａによって送受信される各種情報については、後で詳しく説明する。この３線シリアルドライバ１５１ａは、本発明にいう個別情報送信部、およびＩＤ送信部それぞれの一例に相当する。
【００３７】
カメラヘッド１＿ａでは、ＣＣＤ１２ａで被写体光が受光されることによって、撮影画角内に現時点で存在する被写体像を捉えた、カメラ本体１＿ｂのＬＣＤ２８ｂに表示されるスルー画像用のスルー画像データ、レリーズボタン１３ｂが押下されたときの静止画像を表す静止画像データ、および動画を表す動画像データの３種類の画像データが生成される。スルー画像データは、解像度が低い一時的なデータであり、高速シリアルドライバ１５０ａによってカメラ本体１＿ｂに送られるとともに、積算回路１６ａにも送られる。
【００３８】
カメラヘッド１＿ａには、上述した各種要素のほかにも、低解像度な画像データに基づいて、被写体の輝度（ＡＥ検出）やコントラスト（ＡＦ検出）を検出する積算回路１６ａ、カメラヘッド１＿ａの各種要素に供給される電力を制御する電源制御部１４０ａ、電力を調整するＤＣ／ＤＣコンバータ１０１ａなども備えられている。
【００３９】
カメラヘッド１＿ａのマウントコネクタ１０ａは、カメラ本体１＿ｂのマウント１０ｂに着脱自在に嵌合する。これらカメラヘッド１＿ａとカメラ本体１＿ｂとの間では、マウントコネクタ１０ａとマウント１０ｂに設けられた電気的接点を介して通信が行われる。
【００４０】
続いて、カメラ本体１＿ｂについて説明する。
【００４１】
カメラ本体１＿ｂの動作は、本体ＣＰＵ１００ｂにより統括的に制御される。このカメラ本体１＿ｂには、プログラムが格納されたシステムメモリ１０１ｂ、カメラヘッド１＿ａとの間で各種要求や情報を送受信するための３線シリアルドライバ１５１ｂ、カメラヘッド１＿ａから送信された画像データを受信するための高速シリアルドライバ１５０ｂ、３線シリアルドライバ１５１ｂで受信された各種情報などを記録する不揮発メモリ１０２ｂ、タイマ撮影用のタイマ１１０ｂ、ＬＣＤ２８ｂに表示されるカレンダ時計を制御するためのカレンダ時計部１１１ｂ、ＵＳＢコネクタ２９ｂを介してパーソナルコンピュータなどが接続されるＵＳＢドライバ１３１ｂ、図３に示すモード設定ダイヤル２２ｂ、十字キー２４ｂ、メニューボタン２５ｂ、実行ボタン２６ｂ、および取消ボタン２７ｂなどが含まれ、Ｉ／Ｏ１３３ｂを介して本体ＣＰＵ１００ｂに制御されて動作するスイッチ／ＬＥＤ１３２ｂ、閃光を発する閃光発光部１２１ｂ、閃光発光部１２１ｂでの発光量を制御する閃光発光制御部１２０ｂ、このカメラシステム１の電源を投入する電源ＳＷ２３ｂ、このカメラシステム１に電力を供給するバッテリ１４２ｂ、バッテリ１４２からカメラ本体１＿ｂの各要素に供給される電力を制御する電源制御部１４０ｂ、電力を調整するＤＣ／ＤＣコンバータ１４３ｂ、高速シリアルドライバ１５０ｂで受信された画像データに圧縮処理などといった各種処理を施すデジタル信号処理部１０９ｂ、デジタル信号処理部１０９ｂを制御するデジタル信号処理制御部１０３ｂ、高速シリアルドライバ１５０ｂで受信されたスルー画像データが一旦記録されるフレームメモリ１０４ｂ、ＬＣＤ２８ｂでの表示を制御するＬＣＤ制御部１０５ｂ、各種メニュー画面や、スルー画像データに基づいたスルー画像などが表示されるＬＣＤ２８ｂ、カメラヘッド１＿ａとの間における画面情報の送受信を制御するＵ／Ｉ情報制御部１６０ｂ、本撮影時に生成された画像データがデジタル信号処理部１０９ｂで圧縮され、圧縮画像データがカードＩ／Ｆ１０６ｂを介して記録されるメモリカード１０８ｂが装填されるメモリカードスロット１０７ｂなどが備えられている。３線シリアルドライバ１５１ｂは、本発明にいう個別情報取得部、およびＩＤ受信部それぞれの一例にあたり、不揮発メモリ１０２ｂは、本発明にいう共通情報記憶部、および個別情報保存部それぞれの一例に相当する。また、本体ＣＰＵ１００ｂは、本発明にいうタイプ識別部の一例にあたり、デジタル信号処理部１０９ｂは、本発明にいう画像処理部の一例にあたり、本体ＣＰＵ１００ｂとスイッチ／ＬＥＤ部１３２に含まれる各種スイッチを合わせたものは、本発明にいう保存許可部、および情報消去部それぞれの一例に相当する。
【００４２】
本実施形態のカメラシステム１は、基本的には以上のように構成されている。
【００４３】
ここで、デジタル信号処理部１０９ｂでは、撮影画像データに画像処理が施されるが、その画像処理を実行するためには、ＣＣＤ１２ａの画素数や傷画素位置などで構成されるヘッド情報が必要となる。
【００４４】
図５は、ヘッド情報の一例を示す概念図であり、図６は、そのヘッド情報内の符号の意味を説明する図である。
【００４５】
図５に示すヘッド情報２００には、上から順に、カメラヘッド１＿ａを識別するためのヘッドＩＤ２０１と、ＣＣＤ１２ａのカラーフィルタアレイの配列、ＣＣＤ１２ａの画素数（静止画の場合、スルー画像の場合、動画の場合の３通り）、ＣＣＤ１２ａの撮像面上のうち有効取り込み位置を表わす座標と画素数、黒レベルの基準となるオプティカルブラックの位置を示す座標、コンポーネント順、およびＡ／Ｄ変換のビット深さ（１画素を表現するためのビット数）で構成される種別情報２０２と、ＣＣＤ１２ａの傷画素の位置座標が示された個別情報２０３が含まれている。
【００４６】
ヘッドＩＤ２０１（ＦＵＪＩ  Ｆ８１０  １２３４）は、メーカ名（ＦＵＪＩ）、機種名（Ｆ８１０）、およびシリアル番号（１２３４）が組み合わされて構成されている。すなわち、ヘッドＩＤ２０１のメーカ名と機種名（以下では、これらを合わせて種別符号と称する）とからカメラヘッド１＿ａの種別が識別され、ヘッドＩＤ２０１のシリアル番号からカメラヘッド１＿ａが固有に識別される。種別情報２０２は、同じ種別のカメラヘッドに共通する情報であり、個別情報２０３は、同じ種別のカメラヘッドであってもそのカメラヘッドごとに異なる情報である。ヘッドＩＤ２０１は、本発明にいうＩＤの一例にあたり、種別情報２０２は、本発明にいう共通情報の一例にあたり、個別情報２０３は、本発明にいう個別情報の一例に相当する。
【００４７】
この図５に示すヘッド情報２００のうち、画素数は、縦画素の個数Ｗと横画素の個数Ｈの組み合わせ（Ｗ，Ｈ）で示されている。この（Ｗ，Ｈ）は、図６に示すように、横方向の画素数と縦方向の画素数を示すものであって、符号Ｗ１によって撮像面Ｐ＿ＣＣＤの幅方向の最大画素数が、符号Ｈ１によって撮像面Ｐ＿ＣＣＤの高さ方向の最大画素数がそれぞれ表現されている。つまり、例えば、有効取り込み位置を表わす座標が（Ｗ１，Ｈ１）の場合には、このＣＣＤ１２ａが持つ全ての画素が使用されることが示されている。
【００４８】
また、このＣＣＤ１２ａの撮像面Ｐ＿ＣＣＤ上には、このＣＣＤ１２ａで撮像したときの黒色レベルをカメラ本体１＿ｂ側のデジタル信号処理部１０９ｂに知らせるためのオプティカルブラックという領域が設けられている。このオプティカルブラック領域の開始座標（ＸＯＢ）と長さ（ＸＯＢ）もＣＣＤ情報に示されている。
【００４９】
さらに、ＣＣＤ１２ａの傷位置による傷がその座標位置（Ｘ，Ｙ）もＣＣＤ情報に示されている。図４の例では、（Ｘｔ１，Ｙｔ１）と（Ｘｔ２，Ｙｔ２）と（Ｘｔ３，Ｙｔ３）の３箇所に傷画素があることが示されている。
【００５０】
カメラ本体１＿ｂのデジタル信号処理部１０９ｂは、このようなヘッド情報２００を取得し、そのヘッド情報２００に応じた処理を行う。例えば、図６に示すように、（Ｘｔ１，Ｙｔ１）と（Ｘｔ２，Ｙｔ２）と（Ｘｔ３，Ｙｔ３）の３箇所に傷があることが伝えられると、これらの画素に隣接している画素を用いて補間処理が行われる。
【００５１】
本実施形態においては、ヘッド情報２００は、予めカメラヘッド１＿ａの不揮発性メモリ１９１ａに記憶されており、カメラ本体１＿ｂのメーカと同じメーカのカメラヘッド１＿ａについては、種別情報２０２が予めカメラヘッド１＿ａの種別符号（メーカ名＋機種名）と対応付けてカメラ本体１＿ｂの不揮発性メモリ１０２ｂに記憶されている。カメラ本体１＿ｂ側では、基本的には、カメラヘッド１＿ａから個別情報２０３が読み出され、カメラ本体１＿ｂに記憶されている種別情報２０２と、読み出された個別情報２０３とに応じて画像処理が実行される。以下では、カメラヘッド１＿ａからヘッド情報２００を取得して、画像処理を実行する一連の処理について説明する。
【００５２】
図７は、カメラ本体１＿ｂでヘッド情報２００を取得する一連の処理を示すフローチャートである。
【００５３】
まず、撮影者がカメラ本体１＿ｂの電源ＳＷ２３ｂをＯＮに切り替えると、バッテリ１４２ｂに蓄えられた電力がカメラシステム１の各種要素に供給されて、カメラシステム１が起動される（図７のステップＳ１１）。
【００５４】
続いて、カメラ本体１＿ｂの本体ＣＰＵ１００ｂから、カメラヘッド１＿ａのヘッドＣＰＵ１９ａにヘッドＩＤを送信する要求が伝えられる。ヘッドＣＰＵ１９ａは、カメラヘッド１＿ａの不揮発性メモリ１９１ａに記憶されているヘッド情報２００のうちヘッドＩＤ２０１を取得して、ヘッドＩＤ２０１を３線シリアルドライバ１５１ａ、１５１ｂを介して本体ＣＰＵ１００ｂに送る（図７のステップＳ１２）。
【００５５】
本体ＣＰＵ１００ｂは、カメラ本体１＿ｂの不揮発性メモリ１０２ｂに記憶されている種別情報に、送られてきたヘッドＩＤ２０１に対応するものがあるか検索する（図７のステップＳ１３）。
【００５６】
図８は、カメラ本体１＿ｂの不揮発性メモリ１０２ｂに記憶されている情報の一例を示す表である。
【００５７】
図８に示すように、カメラ本体１＿ｂの不揮発性メモリ１０２ｂには、ヘッドＩＤ２０１（メーカ名＋機種名＋シリアル番号）のうちのメーカ名と機種名とで構成される種別符号と、その種別符号が表す種別のカメラヘッドに共通な種別情報２０２とが対応付けられて登録されており、さらに、その種別符号と、種別符号が表す種別に分類されるカメラヘッドのシリアル番号と、そのシリアル番号が表すカメラヘッドに固有な個別情報２０３とが対応付けられて登録されている。以下では、この図８の表に示されている情報が不揮発性メモリ１０２ｂに記憶されているものとして説明する。
【００５８】
まずは、図８の表中に登録されているカメラヘッド１＿ａがカメラ本体１＿ｂに装着された場合について説明する。
【００５９】
例えば、カメラヘッド１＿ａから「ＦＵＪＩ  Ｆ０１  ０１」というヘッドＩＤ２０１が送られてきた場合、このヘッドＩＤ２０１の種別符号「ＦＵＪＩ  Ｆ０１」は図８の表中に存在しているため、そのヘッドＩＤ２０１に対応する種別情報２０２＿１が登録されている（図７のステップＳ１３：Ｙｅｓ）。本体ＣＰＵ１００ｂは、種別符号「ＦＵＪＩ  Ｆ０１」と対応付けられた種別情報２０２＿１を取得する（図７のステップＳ１４）。
【００６０】
続いて、本体ＣＰＵ１００ｂは、カメラ本体１＿ｂの不揮発性メモリ１０２ｂに記憶されている個別情報２０３に、送られてきたヘッドＩＤ２０１に対応するものが存在するか検索する（図７のステップＳ１５）。
【００６１】
ヘッドＩＤ２０１が「ＦＵＪＩ  Ｆ０１  ０１」である場合、図８の表中の種別符号「ＦＵＪＩ  Ｆ０１」の欄には、このヘッドＩＤ２０１のシリアル番号「０１」が存在しているため、そのヘッドＩＤ２０１に対応する個別情報２０３＿１が登録されている（図７のステップＳ１５：Ｙｅｓ）。本体ＣＰＵ１００ｂは、種別符号「ＦＵＪＩ  Ｆ０１」の欄のシリアル番号「０１」と対応付けられた個別情報２０３＿１を取得する（図７のステップＳ１６）。
【００６２】
実際に撮影が行われて、撮影画像データが生成されたときには、デジタル信号処理部１０９ｂにおいて、取得された種別情報２０２＿１と個別情報２０３＿１とに応じて画像処理が実行される。カメラ本体１＿ｂ側に、同一機種のカメラヘッド１＿ａに共通な種別情報を保存しておくことによって、カメラヘッド１＿ａからはそのカメラヘッド１＿ａに固有な個別情報のみを読み出せばよく、起動時間を軽減することができる。また、カメラ本体１＿ｂ側に、個別情報もいっしょに保存しておくことによって、起動時間をさらに高速化することができる。
【００６３】
続いて、図７のステップＳ１３において、種別情報は登録されているが、個別情報が登録されていないヘッドＩＤ２０１が送られてきた場合について説明する。
【００６４】
図７のステップＳ１３において、例えば、カメラ本体１＿ｂに「ＦＵＪＩ  Ｆ０１  ０３」というヘッドＩＤ２０１が送られてきた場合も、このヘッドＩＤ２０１の種別符号「ＦＵＪＩ  Ｆ０１」は図８の表中に含まれており、そのヘッドＩＤ２０１に対応する種別情報は登録されているため（図７のステップＳ１３：Ｙｅｓ）、本体ＣＰＵ１００ｂは、種別符号「ＦＵＪＩ  Ｆ０１」と対応付けられた種別情報２０２＿１を取得する（図７のステップＳ１４）。
【００６５】
また、ヘッドＩＤ２０１のシリアル番号「０３」であり、図８の表中の種別符号「ＦＵＪＩ  Ｆ０１」の欄には、シリアル番号「０３」が存在しないため、そのヘッドＩＤ２０１に対応する個別情報が登録されていない（図７のステップＳ１５：Ｎｏ）。本体ＣＰＵ１００ｂは、カメラヘッド１＿ａから個別情報を読み出して、その個別情報をカメラ本体１＿ｂに登録する個別情報登録処理を開始する（図７のステップＳ１７）。
【００６６】
図９は、図７のステップＳ１７に示す個別情報登録処理の流れを示すフローチャート図である。
【００６７】
カメラ本体１＿ｂの本体ＣＰＵ１００ｂは、カメラヘッド１＿ａのヘッドＣＰＵ１９ａに個別情報を送信する要求を伝える。ヘッドＣＰＵ１９ａは、カメラヘッド１＿ａの不揮発性メモリ１９１ａに記憶されているヘッド情報２００のうち個別情報２０３を取得して、個別情報２０３を３線シリアルドライバ１５１ａ、１５１ｂを介して本体ＣＰＵ１００ｂに送る。
【００６８】
本体ＣＰＵ１００ｂは、個別情報２０３を受信すると（図９のステップＳ２１）、予め用意されている個別情報保存用画面をＬＣＤ２８ｂに表示させる（図９のステップＳ２２）。
【００６９】
図１０は、ＬＣＤ２８ｂに表示される画面の例を示す図である。
【００７０】
ＬＣＤ２８ｂには、図１０のパート（Ａ）に示すように、「装着したカメラヘッド１＿ａの情報が未登録」であり、「受信した個別情報を登録するか否か」という旨が通知された個別情報保存用画面３１０が表示される。撮影者は、図３に示す十字キー２４ｂなどを操作して、個別情報の登録／非登録のいずれかを選択する。選択内容は、本体ＣＰＵ１００ｂに伝えられる。
【００７１】
個別情報を登録しないことが選択されたときには（図９のステップＳ２３：Ｎｏ）、取得された個別情報が不揮発性メモリ１０２ｂには登録されず、カメラシステム１の電源が切られると、その個別情報は消去される。
【００７２】
また、個別情報の登録が選択されたときには（図９のステップＳ２３：Ｙｅｓ）、ヘッドＩＤ２０１から取得される種別符号「ＦＵＪＩ  Ｆ０１」の欄に、新たにシリアル番号「０３」と、取得された個別情報が登録される（図９のステップＳ２４）。
【００７３】
このように、本実施形態のカメラシステム１によると、予め個別情報が登録されていない新しいカメラヘッド１＿ａが装着されたときでも、そのカメラヘッド１＿ａの個別情報を新たに登録することができる。また、個別情報の登録／非登録を撮影者が選択可能なことによって、使用頻度の高いカメラヘッドの個別情報のみ登録することができ、不揮発性メモリ１０２ｂを有効に使用することができる。
【００７４】
続いて、図７のステップＳ１３において、種別情報および個別情報の両方が登録されていないヘッドＩＤ２０１が送られてきた場合について説明する。
【００７５】
例えば、カメラ本体１＿ｂに「ＦＵＪＩ  Ｆ０３  ０１」というヘッドＩＤ２０１が送られてきた場合、このヘッドＩＤ２０１の種別符号「ＦＵＪＩ  Ｆ０３」は図８の表中に含まれていないため、そのヘッドＩＤ２０１に対応する種別情報は登録されていない（図７のステップＳ１３：Ｎｏ）。本体ＣＰＵ１００ｂは、カメラヘッド１＿ａから種別情報と個別情報との両方を読み出して、それら種別情報および個別情報をカメラ本体１＿ｂに登録する種別情報登録処理を開始する（図７のステップＳ１８）。
【００７６】
図１１は、図７のステップＳ１８に示す種別情報登録処理の流れを示すフローチャート図である。
【００７７】
カメラ本体１＿ｂの本体ＣＰＵ１００ｂは、カメラヘッド１＿ａのヘッドＣＰＵ１９ａに種別情報と個別情報を送信する要求を伝える。ヘッドＣＰＵ１９ａは、カメラヘッド１＿ａの不揮発性メモリ１９１ａに記憶されているヘッド情報２００から種別情報２０２と個別情報２０３を取得して、それらを本体ＣＰＵ１００ｂに送る。
【００７８】
本体ＣＰＵ１００ｂは、種別情報２０２と個別情報２０３を受信すると（図１１のステップＳ３１，Ｓ３２）、予め用意されている種別情報保存用画面をＬＣＤ２８ｂに表示させる（図１１のステップＳ３３）。
【００７９】
ＬＣＤ２８ｂには、図１０のパート（Ｂ）に示すように、「装着したカメラヘッド１＿ａの情報が未登録」であり、「受信した種別情報と個別情報を登録するか否か」という旨が通知された種別情報保存用画面３２０が表示される。撮影者は、図３に示す十字キー２４ｂなどを操作して、種別情報の登録／非登録、および個別情報の登録／非登録をそれぞれ選択する。選択内容は、本体ＣＰＵ１００ｂに伝えられる。
【００８０】
種別情報を登録しないことが選択されたときには（図１１のステップＳ３４：Ｎｏ）、個別情報の登録が選択されていても、種別情報および個別情報が不揮発性メモリ１０２ｂには登録されず、カメラシステム１の電源が切られると、それらの情報は消去される。
【００８１】
また、種別情報の登録が選択されたときには（図１１のステップＳ３４：Ｙｅｓ）、ヘッドＩＤ２０１から取得される種別符号「ＦＵＪＩ  Ｆ０３」を、図８に示す表に新たに登録する（図１１のステップＳ３５）。
【００８２】
また、種別情報は登録が選択されたが、個別情報は非登録が選択されたときには（図１１のステップＳ３６：Ｎｏ）、種別情報だけが登録されて、個別情報は登録されない。
【００８３】
種別情報は登録が選択されて、さらに、個別情報も登録が選択されたときには（図１１のステップＳ３６：Ｙｅｓ）、図８の表中の種別符号「ＦＵＪＩ  Ｆ０３」の欄に、新たにシリアル番号「０１」と、取得された個別情報が登録される（図１１のステップＳ３７）。
【００８４】
このように、個別情報と種別情報が登録されていないときには、カメラヘッド１＿ａからそれらを受信することによって、カメラ本体１＿ｂ側で確実に個別情報や種別情報を取得することができる。
【００８５】
ここで、いろいろなカメラヘッド１＿ａを装着して、種別情報や個別情報を登録していくうちに、不揮発性メモリ１０２ｂのメモリ残量が少なくなってしまう恐れがある。本実施形態のカメラシステム１には、メニュー画面中に、不揮発性メモリ１０２ｂに記憶されている種別情報や個別情報の一覧を表示するためのアイコンが用意されている。撮影者がアイコンを選択すると、図１０のパート（Ｃ）に示す情報一覧画面３３０が表示される。
【００８６】
情報一覧画面３３０には、不揮発性メモリ１０２ｂに記憶されている種別情報に対応する種別符号と、個別情報に対応するシリアル番号とが対応付けて表示されている。撮影者が、図３に示す十字キー２４ｂなどを操作して、情報一覧画面３３０中の種別符号やシリアル番号を選択して、削除ボタンを選択すると、選択内容が本体ＣＰＵ１００ｂに伝えられる。本体ＣＰＵ１００ｂは、不揮発性メモリ１０２ｂから、選択された種別符号やシリアル番号、およびそれらに対応する種別情報や個別情報を削除する。
【００８７】
このように、一度登録した情報を削除することによって、不揮発性メモリ１０２ｂをさらに効率よく使用することができる。
【００８８】
ここで、上記では、光学ユニットとして、撮像素子と撮像光学系とがいっしょに内蔵されたレンズユニットを用いる例について説明したが、本発明にいう光学ユニットは、撮像素子が含まれないものであってもよい。この場合、撮像素子は、カメラ本体に備えられていてもよく、カメラ本体と光学ユニットとを接続するアダプタに備えられていてもよい。
【００８９】
また、近年では、容器に収容された液体に電圧を印加し、その液面の形状等を変化させることによって光の屈折率を調節する液体レンズが開発されている。上記では、本発明にいう撮像光学系として通常のレンズを用いる例について説明したが、本発明にいう撮像光学系は、液体レンズなどであってもよい。この場合、「撮像光学系の駆動」とは、通常のレンズを光軸方向に移動させるのと等価な作用を行わせるように、液体に電圧を印加する作業などをいう。
【図面の簡単な説明】
【００９０】
【図１】本発明の一実施形態が適用されたカメラシステムの分解図である。
【図２】図１に示すカメラ本体１＿ｂの上面図である。
【図３】図１に示すカメラ本体１＿ｂの背面図である。
【図４】図１に示すカメラシステム１の内部構成図である。
【図５】ヘッド情報の一例を示す概念図である。
【図６】ヘッド情報内の符号の意味を説明する図である。
【図７】カメラ本体１＿ｂでヘッド情報２００を取得する一連の処理を示すフローチャートである。
【図８】カメラ本体１＿ｂの不揮発性メモリ１０２ｂに記憶されている情報の一例を示す表である。
【図９】図７のステップＳ１７に示す個別情報登録処理の流れを示すフローチャート図である。
【図１０】ＬＣＤ２８ｂに表示される画面の例を示す図である。
【図１１】図７のステップＳ１８に示す種別情報登録処理の流れを示すフローチャート図である。
【符号の説明】
【００９１】
１    カメラシステム
１＿ａ，２＿ａ，…，ｎ＿ａ    レンズユニット
１０ａ    マウントコネクタ
１１ａ    撮影光学系
１０１ａ    ＤＣ／ＤＣコンバータ
１０１ｂ    システムメモリ
１２ａ    ＣＣＤ
１３ａ    アナログ信号処理部
１４ａ    Ａ／Ｄ部
１４０ａ    電源制御部
１５０ａ    高速シリアルドライバ
１５１ａ    ３線シリアルドライバ
１６ａ    積算回路
１７ａ    絞り／フォーカスズーム制御部
１８ａ    ＴＧ
１９ａ    ヘッドＣＰＵ
１９０ａ    システムメモリ
１９１ａ    不揮発性メモリ
１＿ｂ    カメラ本体
１０ｂ    マウント
２１ｂ    レリーズボタン
２２ｂ    モード設定ダイヤル
２４ｂ    十字キー
２５ｂ    メニューボタン
２６ｂ    実行ボタン
２７ｂ    取消ボタン
２８ｂ    ＬＣＤ
２９ｂ    ＵＳＢコネクタ
２３ｂ    電源ＳＷ
１０２ｂ    不揮発メモリ
１０３ｂ    デジタル信号処理制御部
１０４ｂ    フレームメモリ
１０５ｂ    ＬＣＤ制御部
１０６ｂ    カードＩ／Ｆ
１０７ｂ    メモリカードスロット
１０８ｂ    メモリカード
１０９ｂ    デジタル信号処理部
１１０ｂ    タイマ
１１１ｂ    カレンダ時計部
１２０ｂ    閃光発光制御部
１２１ｂ    閃光発光部
１３１ｂ    ＵＳＢドライバ
１３２ｂ    スイッチ／ＬＥＤ
１３３ｂ    Ｉ／Ｏ
１４０ｂ    電源制御部
１４１ｂ    Ｉ／Ｏ
１４２ｂ    バッテリ
１４３ｂ    ＤＣ／ＤＣコンバータ
１５０ｂ    高速シリアルドライバ
１５１ｂ    ３線シリアルドライバ
【図１】
2006325109.tif 000003
【図２】
2006325109.tif 000004
【図３】
2006325109.tif 000005
【図４】
2006325109.tif 000006
【図５】
2006325109.tif 000007
【図６】
2006325109.tif 000008
【図７】
2006325109.tif 000009
【図８】
2006325109.tif 000010
【図９】
2006325109.tif 000011
【図１０】
2006325109.tif 000012
【図１１】
2006325109.tif 000013